(57)【要約】【課題】優先的にスリープ状態やレディ状態に移行するようユーザが設定することのできる画像形成装置やその制御方法を提供すること。【解決手段】記録媒体に画像を形成する画像形成装置において、優先的に前記画像形成装置を印刷可能な状態に設定する設定手段、を備えることを特徴としている。【選択図】図７
2005288971.tif 000002
【特許請求の範囲】
【請求項１】
記録媒体に画像を形成する画像形成装置において、
優先的に前記画像形成装置を印刷可能な状態に設定する設定手段、
を備えることを特徴とする画像形成装置。
【請求項２】
請求項１記載の画像形成装置において、
前記設定手段は操作手段であって、前記操作手段の操作により前記優先的に印刷可能な状態にする開始時刻と終了時刻を入力することで設定する、ことを特徴とする画像形成装置。
【請求項３】
請求項２記載の画像形成装置において、
さらに、前記開始時刻と終了時刻とが格納されたテーブルと、
前記操作手段による操作により前記開始時刻と前記終了時刻とが入力されたときは前記開始時刻と前記終了時刻とを前記テーブルに記憶させる制御手段と、を備え、
前記制御手段は前記テーブルを参照することで優先的に前記画像形成装置を印刷可能な状態に移行させる、ことを特徴とする画像形成装置。
【請求項４】
請求項１記載の画像形成装置において、
前記設定手段は、前記画像形成装置に接続されたホストコンピュータから前記優先的に印刷可能な状態にする開始時刻と終了時刻とが入力されることで前記印刷可能な状態に設定する、ことを特徴とする画像形成装置。
【請求項５】
記録媒体に画像を形成する画像形成装置において、
優先的に前記画像形成装置を省電力状態に設定する設定手段、
を備えたことを特徴とする画像形成装置。
【請求項６】
請求項５記載の画像形成装置において、
さらに、前記設定手段の設定により優先的な省電力状態に移行したとき、前記画像形成装置が印刷可能な状態に移行したときでも前記画像形成装置を省電力状態に移行させるよう制御する制御手段、
を備えることを特徴とする画像形成装置。
【請求項７】
記録媒体に画像を形成する画像形成装置において、
優先的に前記画像形成装置を印刷可能な状態に設定するとともに、優先的に前記画像形成装置を省電力状態に設定する設定手段、
を備えたことを特徴とする画像形成装置。
【請求項８】
記録媒体に画像を形成する画像形成装置における制御方法において、
優先的に前記画像形成装置を印刷可能な状態に設定する工程、
を備えることを特徴とする制御方法。
【請求項９】
記録媒体に画像を形成する画像形成装置における制御方法において、
優先的に前記画像形成装置を省電力状態に設定する工程、
を備えることを特徴とする制御方法。
【請求項１０】
記録媒体に画像を形成する画像形成装置における制御方法において、
優先的に前記画像形成装置を印刷可能な状態に設定するとともに、優先的に前記画像形成装置を省電力状態に設定する工程、
を備えたことを特徴とする制御方法。
【発明の詳細な説明】
【技術分野】
【０００１】
本発明は、プリンタなどの画像形成装置や画像形成装置に対する制御方法に関する。詳しくは、優先的にスリープ状態やレディ状態に移行するようユーザが設定することのできる画像形成装置やその制御方法に関する。
【背景技術】
【０００２】
従来から、プリンタなどの画像形成装置では、一部のハードウェアへの電力供給を遮断したスリープ状態に移行することで省電力化を図っているものがある。しかしながら、スリープ状態で印刷を実行しなければならないと、遮断した電力を再び供給させてウォーミングアップを行わなければならないため印刷に長時間を要するという問題があった。
【０００３】
このため、従来では印刷が実行されない時間でスムーズにスリープ状態に移行できるよう、印刷時刻とその直前の印刷時の印刷終了時刻との間の待機時間の履歴管理を行い、スリープ状態に入るまでの時間を種々設定できるようにしたものがある（例えば以下の特許文献１）。
【０００４】
また、画像形成装置における表示部を待機状態とするプレヒート状態に移行するまでの所定時間を時間帯と過去の使用頻度に応じて変えるものがある（例えば以下の特許文献２）
【特許文献１】特開平１１−７０７１６号公報
【特許文献２】特許第３４６７２４１号公報
【発明の開示】
【発明が解決しようとする課題】
【０００５】
しかしながら、これらの従来技術ではスリープ状態への移行を過去の使用履歴に応じて自動的に設定したものである。そのため、使用履歴に依存しないようなユーザが、かかる画像形成装置を利用して印刷を実行した場合に、画像形成装置がスリープ状態となっていたため印刷に長時間要してしまうこともある。したがって、スリープ状態への移行が必ずしも個々のユーザに対応したものとはなっていないという問題点があった。
【０００６】
また、２４時間稼動を続ける画像形成装置では、直前の印刷時からの経過時間に拘わらず、ある時間帯では殆んど利用されなくなる場合がある。例えば、昼間は多くのユーザが利用し、夜間ではユーザが殆んど利用しないことが考えられる。したがって、予め時間帯によって優先的にスリープ状態や印刷可能な状態（以下、レディ状態）とに移行できるように画像形成装置を設定させておけば省電力化も図ることができ便利である。
【０００７】
そこで、本発明は優先的にスリープ状態やレディ状態に移行するようユーザが設定することのできる画像形成装置やその制御方法を提供することを目的とするものである。
【課題を解決するための手段】
【０００８】
上記目的を達成するために本発明は、記録媒体に画像を形成する画像形成装置において、優先的に前記画像形成装置を印刷可能な状態に設定する設定手段、を備えることを特徴としている。これにより、例えば、プリンタを優先的に印刷可能なレディ状態にしたときにスリープ状態に移行してもレディ状態に戻るようになるため、すぐに印刷可能な状態となり印刷速度が速くなる。
【０００９】
また、本発明は上記画像形成装置において、上記設定手段は操作手段であって操作手段の操作により優先的に印刷可能な状態にする開始時刻と終了時刻を入力することで設定する、ことを特徴としている。これにより、例えば、ユーザが操作パネルなどの操作手段を操作することで優先的なレディ状態へ移行する時刻を容易に設定することができる。
【００１０】
さらに、本発明は上記画像形成装置において、上記開始時刻と終了時刻とが格納されたテーブルと、上記操作手段による操作により開始時刻と終了時刻とが入力されたときは開始時刻と前記終了時刻とをテーブルに記憶させる制御手段と、を備え、制御手段はテーブルを参照することで優先的に画像形成装置を印刷可能な状態に移行させることを特徴としている。これにより、例えば、ユーザが入力した優先的にレディ状態にする予約時刻が記憶され、制御手段はかかるテーブルを参照することで容易にプリンタをレディ状態に優先的に移行させるか否か判断することができる。
【００１１】
さらに、本発明は上記画像形成装置において、上記設定手段は画像形成装置に接続されたホストコンピュータから優先的に印刷可能な状態にする開始時刻と終了時刻とが入力されることで印刷可能な状態に設定する、ことを特徴としている。これにより、例えば、プリンタ１０に接続されたホスト側から優先的にレディ状態にする時刻を設定することができる。
【００１２】
また、上記目的を達成するために本発明は、記録媒体に画像を形成する画像形成装置において、優先的に画像形成装置を省電力状態に設定する設定手段を備えたことを特徴としている。これにより、例えば、プリンタを優先的にスリープ状態にしたときにレディ状態に移行してもスリープ状態に戻るよう設定することができる。
【００１３】
さらに、本発明は上記画像形成装置において、設定手段の設定により優先的な省電力状態に移行したとき画像形成装置が印刷可能な状態に移行したときでも画像形成装置を省電力状態に移行させるよう制御する制御手段を備えることを特徴としている。これにより、例えば、プリンタを優先的にスリープ状態にしたときにレディ状態に移行してしまったときでもスリープ状態に戻るようになるため、画像形成装置の省電力化を図ることができる。
【００１４】
さらに、上記目的を達成するために本発明は、記録媒体に画像を形成する画像形成装置において、優先的に画像形成装置を印刷可能な状態に設定するとともに、優先的に画像形成装置を省電力状態に設定する設定手段とを備えたことを特徴としている。これにより、例えば、プリンタを優先的にスリープ状態にしたりレディ状態にすることができ、プリンタの省電力化を図るとともに印刷速度を早めることができる。
【００１５】
さらに、上記目的を達成するために本発明は、記録媒体に画像を形成する画像形成装置における制御方法において、優先的に画像形成装置を印刷可能な状態に設定する工程を備えることを特徴としている。これにより、例えば、プリンタを優先的に印刷可能なレディ状態にしたときにスリープ状態に移行してもレディ状態に戻るように制御することができるため、すぐに印刷可能な状態となり印刷速度が速くなる。
【００１６】
さらに、上記目的を達成するために本発明は、記録媒体に画像を形成する画像形成装置における制御方法において、優先的に画像形成装置を省電力状態に設定する工程を備えることを特徴としている。これにより、例えば、プリンタを優先的にスリープ状態にしたときにレディ状態に移行してもスリープ状態に戻るように制御することができるため、画像形成装置の省電力化を図ることができる。
【００１７】
さらに、上記目的を達成するために本発明は、記録媒体に画像を形成する画像形成装置における制御方法において、優先的に画像形成装置を印刷可能な状態に設定するとともに、優先的に画像形成装置を省電力状態に設定する工程を備えたことを特徴としている。これにより、例えば、プリンタを優先的にスリープ状態にしたりレディ状態にすることができ、プリンタの省電力化を図るとともに印刷速度を早めることができる。
【発明を実施するための最良の形態】
【００１８】
［全体構成とその動作］
本発明を実施するための最良の形態について説明する。図１は、本発明が適用される全体システムの構成の一例である。図１に示すように、本システムはホストコンピュータ１０と画像形成装置の一例としてのレーザプリンタ（以下、プリンタ）２０とから構成される。
【００１９】
ホストコンピュータ１０は、アプリケーション１２とドライバ１４とから構成される。アプリケーション１２は、ドライバ１４と接続され、文字データ、図形データ、画像データ等の印刷対象のデータ（以下、印刷データ）が生成される。例えば、ホストコンピュータ１０でワードプロセッサや図形ツールなどのアプリケーションプログラムを使用してキーボード等の操作により文字データや図形データなどの印刷データが生成される。生成された印刷データは、ドライバ１４に出力される。
【００２０】
ドライバ１４は、ネットワーク等を介してプリンタ２０にも接続される。ドライバ１４は、アプリケーション１２で生成された印刷データが入力され、印刷ジョブごとに印刷ジョブデータを生成し、所定の伝送フォーマットによりこの印刷ジョブデータをプリンタ２０に出力する。
【００２１】
次にプリンタ２０の構成を説明する。プリンタ２０は図１に示すように、外部インターフェース（Ｉ／Ｆ）２１と、ＲＯＭ２２と、ＣＰＵ２３と、ＲＡＭ２４と、操作パネル２５と、タイマ２６と、ＥＥＰＲＯＭ２７と、本体メモリ２８と、エンジンコントローラ２９、及び印刷エンジン３０とから構成される。外部Ｉ／Ｆ２１、ＲＯＭ２２、ＣＰＵ２３、ＲＡＭ２４、操作パネル２５、タイマ２６、ＥＥＰＲＯＭ２７、本体メモリ２８、及びエンジンコントローラ２９はプリンタ２０内においてバスを介して互いに接続される。
【００２２】
外部Ｉ／Ｆ２１は、ホストコンピュータ１０のドライバ１４とも接続されている。ドライバ１４から出力された印刷ジョブデータが入力され、プリンタ２０内部で処理できるフォーマットに変換する。入力された印刷ジョブデータはＣＰＵ２３の制御によりＲＡＭ２４に出力される。
【００２３】
ＲＯＭ２２は、ＣＰＵ２３において処理を実行するための種々のプログラムが格納される。ＣＰＵ２３は印刷データに対する画像処理の他、初期設定処理や印刷処理等を実行する。詳細は後述する。ＣＰＵ２３はＲＯＭ２２に格納されたプログラムを適宜読み出すことで処理が実行される。ＲＡＭ２４は、ＣＰＵ２３による処理中や処理後のデータが格納され、ＣＰＵ２３のワーキングメモリとしての役割を果たす。
【００２４】
操作パネル２５は液晶パネルなどの表示画面を有し、その画面内で印刷方向や印刷種類等を指定することができるように構成される。また、後述するように予約スリープコントロールや予約レディコントロール等の設定や解除も行えるように表示画面が構成される。
【００２５】
タイマ２６は、プリンタ２０内での時刻を計るためのもので、例えば水晶発振子やセラミック発振子などから構成される。ＥＥＰＲＯＭ２７は不揮発性のメモリで、各プリンタ２０の機種名や製造番号などが格納される。また、ＥＥＰＲＯＭ２７には後述するタイムコントロールテーブルが予め格納され、処理が実行されるときＣＰＵ２３によってＥＥＰＲＯＭ２７から読み出されＲＡＭ２４に格納される。本体メモリ２８も同様に不揮発性のメモリから構成される。ＥＥＰＲＯＭ２７から読み出されたタイムコントロールテーブルが格納されてもよい。
【００２６】
エンジンコントローラ２９は、印刷エンジン３０とも接続される。印刷エンジン３０を制御するためのコントローラである。ＣＰＵ２３によってハーフトーン処理後の印刷データに対してパルス幅変調等の処理によりパルスデータが生成される。このパルスデータがエンジンコントローラ２９に入力され、印刷エンジン３０を制御する。
【００２７】
印刷エンジン３０は、レーザダイオードなどの露光ユニットや感光体ドラム、給紙トレイ等から構成される。エンジンコントローラ２９の制御により、露光ユニットからパルスデータに応じたレーザが感光体ドラムを照射して潜像が形成され、中間転写ベルトを介して給紙トレイから給紙された印刷用紙などの印刷媒体に画像が形成される。
【００２８】
以上のように構成されたプリンタ２０の全体動作について説明する。図２はプリンタ２０における全体処理の動作を示すフローチャートである。まず、ＣＰＵ２３はＲＯＭ２２から本処理を実行するためのプログラムを読み出して処理が開始される（ステップＳ１０）。次いでＣＰＵ２３は、初期設定処理を行う（ステップＳ１１）。初期設定処理の詳細を図３に示す。
【００２９】
初期設定処理に移行するとＣＰＵ２３は、まず、タイムコントロールテーブルを初期化する（ステップＳ１１１）。タイムコントロールテーブル２００の一例を図９（Ａ）に示す。タイムコントロールテーブル２００は、操作パネル２５でユーザにより設定された各種開始時刻や終了時刻等が格納されるテーブルである。ＣＰＵ２３によって、タイマ２６による現在時刻と比較する等することでスリープ状態等に移行することになる。なお、このタイムコントロールテーブル２００は、本処理が実行される前には予めＥＥＰＲＯＭ２７に格納され、本ステップＳ１１によりＣＰＵ２３によってＥＥＰＲＯＭ２７から読み出され、ＲＡＭ２４に格納される。もちろん、本ステップＳ１１１でＥＥＰＲＯＭ２７から本体メモリ２８に格納されるようにしてもよい。
【００３０】
図９（Ａ）に示すようにタイムコントロールテーブル２００は、各種処理を行うごとに基準時刻として現在時刻（スリープコントロール基準時刻）が格納されるスリープコントロール基準時刻領域２０１と、スリープコントロール基準時刻からスリープ状態に移行するための間隔時間が格納されるスリープコントロール間隔時間領域２０２と、スリープ状態に優先的に移行するための予約スリープ時刻（開始時刻と終了時刻）を設定したか否かを示すフラグが格納される予約スリープコントロールフラグ領域２０３と、予約スリープ時刻の開始時刻が格納される予約スリープコントロール開始時刻領域２０４と、その終了時刻が格納される予約スリープコントロール終了時刻領域２０５と、レディ状態に優先的に移行するための予約レディ時刻（開始時刻と修了時刻）を設定したか否かを示すフラグが格納される予約レディコントロールフラグ領域２０６と、予約レディ時刻の開始時刻が格納される予約レディコントロール開始時刻領域２０７と、その終了時刻が格納される予約レディコントロール終了時刻２０８とから構成される。
【００３１】
ここで、スリープ状態とはプリンタ２０において印刷エンジン３０側への通電が遮断されている状態（いわゆる、省電力状態）をいう。例えば、印刷エンジン３０は定着ローラを有し、記録媒体を加熱圧着することで記録媒体に転写された画像（トナー像）を永久像とするようにしているが、スリープ状態になると定着ローラに通電が行われず加熱されない状態となる。また、各色のトナーを収容した現像器がエンジンコントローラ２９により回転駆動されるが、かかる現像器にも通電が遮断され回転されない状態となる。
【００３２】
また、レディ状態とはプリンタ２０において印刷エンジン３０側へは通電がなされ印刷ジョブデータが入力されればすぐにでも印刷動作を行える印刷可能な状態をいう。印刷動作（例えばＣＰＵ２３による画像処理や印刷エンジン３０での感光体ドラムでの潜像の形成等）を実際に行っている状態を印刷状態とすると、レディ状態はかかる印刷状態と上述したスリープ状態の間の状態となる。なお、タイムコントロールテーブル２００の各領域２０１等に格納される値はフローチャートに沿って順に説明することにする。
【００３３】
図３に戻り、本ステップＳ１１１でＣＰＵ２３はかかるタイムコントロールテーブル２００をＥＥＰＲＯＭ２７から読み出して、ＲＡＭ２４に格納する。ＥＥＰＲＯＭ２７には前回利用時の各種設定が残っており、その情報を引き継ぐ。尚、製品出荷するときには標準設定として、予約スリープコントロールフラグ領域２０３と予約レディコントロールフラグ２０６には“０”（予約スリープ、予約レディ、ともに設定されていない状態）、スリープコントロール間隔時間は“０１：００”が設定され、その他の領域２０１等は初期状態（本実施例では何も値が格納されていない不定状態）となっている（図９（Ａ）参照）。また、以降の処理において、設定した情報を読み出すときにはＲＡＭ２４にあるタイムコントロールテーブル２００を利用し、パネル設定や現在時刻等の情報を設定する（書き込む）ときにはＲＡＭ２４だけでなく、ＥＥＰＲＯＭ２７のコントロールテーブル２００も情報設定を更新して、ＥＥＰＲＯＭ２７に最新の設定が残るようになっている。そして、ＣＰＵ２３は初期化したタイムコントロールテーブル２００をＲＡＭ２４に格納する。
【００３４】
次いでＣＰＵ２３は、スリープコントロール基準時刻を現在時刻に設定する（ステップＳ１１２）。すなわち、ＣＰＵ２３はＲＡＭ２４に格納されたタイムコントロールテーブル２００にアクセスして、スリープコントロール基準時刻領域２０１に現在時刻を格納する。例えば、現在時刻が午前１０時のときは、図９（Ｂ）に示すように領域２０１に現在時刻“１０：００”が格納される。
【００３５】
そして、初期設定処理が終了して図２に戻り、次いでＣＰＵ２３は印刷処理を行う（ステップＳ１３）。印刷処理の詳細を図４に示す。印刷処理（ステップＳ１３）に移行するとＣＰＵ２３は、まず、印刷要求があるか否か判断する（ステップＳ１３１）。すなわち、ドライバ１４から外部Ｉ／Ｆ２１に印刷ジョブデータが入力されたか否か判断する。印刷ジョブデータが入力されないと（本ステップＳ１３１で“ＮＯ”のとき）、印刷データが入力されずに印刷処理を行うことができないので印刷処理が終了し、図２に戻りパネル処理（ステップＳ１５）に移行する。
【００３６】
一方、印刷ジョブデータが入力されたとき（ステップＳ１３１で“ＹＥＳ”のとき）、次いでＣＰＵ２３はプリンタ２０がスリープ中であるか否か判断する（ステップＳ１３２）。印刷ジョブデータが入力されたにも拘わらず、プリンタ２０がスリープ状態のときはかかる状態から印刷状態に移行させる必要があるからである。
【００３７】
従って、プリンタ２０がスリープ状態のとき（ステップＳ１３２で“ＹＥＳ”のとき）はスリープ状態を解除する（ステップＳ１３３）。すなわち、ＣＰＵ２３はエンジンコントローラ２９に対して印刷エンジン３０を構成する各モータやドラム等に通電を行うよう制御信号を出力し、この信号に基づいて印刷エンジン３０を構成する各部に電源が投入されることになる。
【００３８】
一方、スリープ状態でなければ（ステップＳ１３２で“ＮＯ”とき）印刷可能な状態である（レディ状態）ため、そのまま印刷動作を行う（ステップＳ１３４）。スリープを解除（ステップＳ１３３）した後でも印刷可能な状態であるため印刷動作を行う（ステップＳ１３４）。
【００３９】
印刷動作について図１を用いて簡単に説明すると以下のようになる。まず、入力された印刷ジョブデータはＣＰＵ２３によってＲＡＭ２４に格納される。印刷ジョブデータに含まれる印刷データ（文字データや図形データ、画像データなど）はＣＰＵ２３によって読み出され色変換処理（ＲＧＢ（レッド、グリーン、ブルー）からＣＭＹＫ（シアン、マゼンタ、イエロー、ブラック）への色変換処理）、や濃淡画像等の階調を表現するためのハーフトーン処理、その後パルス幅変調等の処理を行いパルスデータが生成される。そのパルスデータがＣＰＵ２３によってエンジンコントローラ２９に出力され、パルスデータに基づいて感光体ドラムにレーザが照射される等して印刷動作が行われる。
【００４０】
図４に戻り、次いでＣＰＵ２３はスリープコントロール基準時刻を現在時刻に設定する（ステップＳ１３５）。最新の印刷終了時の時刻を保持するためである。すなわち、ＣＰＵ２３はタイムコントロールテーブル２００のスリープコントロール基準時刻２０１を印刷が終了した時刻に更新する。例えば、午前１０時３分に印刷が終了したときは、テーブル２００のスリープコントロール基準時刻領域２０１に“１０：０３”を格納する（図１０（Ａ）参照）。そして、図２に戻り、パネル処理（ステップＳ１５）に移行する。
【００４１】
パネル処理の詳細を図５乃至図６に示す。ＣＰＵ２３は、パネル処理（ステップＳ１５）に移行すると、まず、時間設定要求があるか否か判断する（ステップＳ１５１）。操作パネル２５をユーザが操作することで現在時刻を修正、設定することができるが、かかる時刻設定を行うと時刻設定を行ったことを示す制御信号が操作パネル２５からＣＰＵ２３に出力されるため、この信号が入力されたか否かで判断できる。また、時間設定については、プリンタ２０がホストコンピュータ１０とインターネットを介して接続されているときは、ＮＴＰ（Network Time Protocol）によって現在時刻をサーバ等から取得することことでも修正、設定を行うことができる。かかるＮＴＰによる現在時刻を取得したか否かでも本ステップＳ１５１を判断することができる。
【００４２】
時間設定の要求があるとき（ステップＳ１５１で“ＹＥＳ”のとき）、次いでＣＰＵ２３は時刻設定要求に基づいて現在時刻の修正、設定を行う（ステップＳ１５２）。例えば、ＣＰＵ２３は、操作パネル２５から入力された時刻や、ネットワークから取得した時刻にタイマ２６の時刻を修正する。
【００４３】
次いで、ＣＰＵ２３はスリープコントロール基準時刻２０１を現在時刻に更新する（ステップＳ１５３）。ステップＳ１５２で設定した現在時刻に基準時刻を合わせるためである。例えば、操作パネル２５による時刻の設定を午前１０時３０分に行ったときは、ＣＰＵ２３はこの時刻をスリープコントロール基準時刻領域２０１に格納する（図１０（Ｂ）参照）。
【００４４】
一方、時間設定要求がないとき（ステップＳ１５１で“ＮＯ”のとき）、現在時刻の修正し設定する必要がないので、スリープコントロール基準時刻２０１を現在時刻に更新（ステップＳ１５３）した後と同様にステップＳ１５４に移行する。
【００４５】
ステップＳ１５４においてＣＰＵ２３は、予約スリープコントロール設定要求があるか否か判断する。操作パネル２５上から、予めプリンタ２０をスリープ状態に優先的に移行するための設定画面が表示され、必要事項を入力し、例えば送信ボタンや確定ボタンを操作できるように構成される。かかる送信ボタン等の操作により操作パネル２５から予約スリープコントロール設定要求がＣＰＵ２３に出力されるため、かかる要求があったか否かにより判断できる。操作パネル２５以外にも例えば、ドライバ１４でかかる設定を行うようにし、予約スリープコントロール設定要求がプリンタ２０に入力されたか否かでも判断可能である。
【００４６】
予約スリープコントロール設定要求があると（ステップＳ１５４で“ＹＥＳ”のとき）、次いでＣＰＵ２３はスリープコントロール解除か設定かを判断する（ステップＳ１５５）。操作パネル２５上には上述したように予約スリープ設定画面が表示され、例えば、以前に入力した予約スリープ状態への開始時刻等を解除するか否かの操作ボタンがあり、この解除ボタンを操作したか否か、あるいは新たに開始時刻等を入力したかにより、設定か解除かをＣＰＵ２３は判断する。
【００４７】
スリープコントロールを設定するとき（ステップＳ１５５で“設定”のとき）、次いでＣＰＵ２３は操作パネル２５上で入力された優先的にスリープ状態に移行する予約開始時刻と予約終了時刻とを設定する（ステップＳ１５６）。すなわち、操作パネル２５に表示された予約スリープ設定画面では、スリープ状態に移行するための予約スリープ開始時刻と、予約スリープ終了時刻とを入力できるようになっている。したがって、ＣＰＵ２３は操作パネル２５から予約スリープ開始時刻と予約スリープ終了時刻の情報が入力され、タイムコントロールテーブル２００にアクセスして、それぞれ予約スリープコントロール開始時刻領域２０４と予約スリープコントロール終了時刻領域２０５に格納する。例えば、予約スリープ開始時刻を午後９時、終了時刻を午前８時と操作パネル２５で入力されたときは、図１１（Ａ）に示すように開始時刻領域２０４と終了時刻領域２０５にはそれぞれ“２１：００”、“０８：００”が格納される。
【００４８】
図５に戻り、次いでＣＰＵ２３は予約スリープコントロールフラグを“有効”に設定する（ステップＳ１５７）。スリープ状態への予約設定が行われたか否か確認するためである。本実施例では、図１１（Ａ）に示すようにフラグ領域２０３に“１”（有効）が格納される。
【００４９】
一方、スリープコントロールを解除にしたとき（ステップＳ１５５で“解除”のとき）、ＣＰＵ２３は予約スリープコントロールフラグ２０３を“無効”、すなわちフラグ領域２０３に “０”を格納する（ステップＳ１５８）。そして、ステップＳ１５９に処理は移行することになる。
【００５０】
また、予約スリープコントロール設定要求がないとき（ステップＳ１５４で“ＮＯ”のとき）、テーブル２００への値の格納等の処理をする必要がないので、この場合もステップＳ１５９に移行することになる。
【００５１】
図６に示すようにステップＳ１５９でＣＰＵ２３は、予約レディコントロール設定要求があるか否か判断する。予約スリープコントロールの設定と同様に、例えば、操作パネル２５上ではプリンタ２０をレディ状態に優先的に移行するための設定画面が表示され、必要事項を入力し、送信ボタン等を操作することで操作パネル２５から予約レディコントロール設定要求が出力される。かかる要求がＣＰＵ２３に入力されたか否かで本ステップ１５９を判断することができる。
【００５２】
予約レディコントロール設定要求があれば（ステップＳ１５９で“ＹＥＳ”のとき）、次いでＣＰＵ２３は予約レディコントロール設定を解除したか設定したか判断する（ステップＳ１６０）。上述したステップＳ１５５と同様に、例えば、操作パネル２５の設定画面で以前に設定した予約開始時刻と終了時刻を解除するためのボタンがあり、これを操作したか、あるいは開始時刻等を新たに入力されたか否かで判断することができる。
【００５３】
予約レディ状態への設定を行ったとき（ステップＳ１６０で“設定”のとき）、次いでＣＰＵ２３は予約レディコントロール開始時刻と終了時刻の設定を行う（ステップＳ１６１）。すなわち、ＣＰＵ２３はＲＡＭ２４に格納されたタイムコントロールテーブル２００にアクセスし、操作パネル２５で入力された予約レディ開始時刻と予約レディ終了時刻とを、予約レディコントロール開始時刻領域２０７と予約レディコントロール終了時刻領域２０８にそれぞれ格納する。例えば、予約レディ開始時刻を午前８時、終了時刻を午後９時と操作パネル２５から入力したときは、図１１（Ｂ）に示すように予約レディコントロール開始時刻領域２０７に“０８：００”、予約レディコントロール終了時刻領域２０８に“２１：００”が格納されることになる。
【００５４】
図６に戻り、次いでＣＰＵ２３は、予約レディコントロール設定有効フラグを“有効”に設定する（ステップＳ１６２）。すなわち、ＣＰＵ２３はタイムコントロールテーブル２００の予約レディコントロールフラグ領域２０６に“１”（本実施例では“有効”を示す）を格納する。そして、処理はステップＳ１６３に移行する。
【００５５】
一方、以前に設定した予約レディ状態への開始時刻等を解除するとき（ステップＳ１６０で“解除”のとき）、次いでＣＰＵ２３は予約レディコントロール設定有効フラグを“無効”にする。すなわち、ＣＰＵ２３はテーブル２００の予約レディコントロールフラグ領域２０６に“０”を格納する。そして、処理はステップＳ１６３に移行する。
【００５６】
また、予約レディコントロール設定要求がないとき（ステップＳ１５９で“ＮＯ”のとき）は、テーブル２００へのアクセス等を行う必要がないため、同様に処理はステップＳ１６３に移行する。
【００５７】
次いで、ＣＰＵ２３はスリープコントロール間隔時間設定要求があるか否か判断する（ステップＳ１６３）。スリープコントロール間隔時間とは、テーブル２００のスリープコントロール基準時刻領域２０１に記憶した時刻を基準にしてプリンタ２０をスリープ状態に移行するまでの間隔時間である。この間隔時間を経過すると、プリンタ２０はスリープ状態に移行することになるが、この時間が予約レディ状態への開示時刻と終了時刻の間のときは後述するようにスリープ状態からレディ状態に移行することになる。
【００５８】
本発明は、このようにプリンタ２０を優先的にレディ状態に設定できるようにし、その間にスリープ状態に移行するように設定されたとしてもレディ状態に移行することで、例えば、印刷を行いたいユーザがその時刻で印刷できないなどの不都合を解消することができる。また、上述したようにスリープ状態は定着ローラ等への通電が遮断されているため、スリープ状態から印刷可能なレディ状態まで移行時間がかかるため印刷速度が遅くなってしまうが、本発明のように優先的にレディ状態に移行させておけば印刷ジョブデータが入力されるとすぐに印刷を行うことができるため、印刷速度を早めることができる。
【００５９】
一方で、プリンタ２０が全く使用されない時間帯、例えば夜中など、に優先的にスリープ状態に設定しておけば、印刷エンジン３０への通電が遮断されるため、常に印刷可能なレディ状態に設定しておく場合と比較して省電力化を計ることができる。とくに、ネットワーク上のサーバに接続されたプリンタや、コンビニエンスストアに設置されたプリンタなど２４時間稼動しなければならない場合に便利である。
【００６０】
なお、スリープコントロール間隔時間の設定は、予約スリープや予約レディの場合と同様に操作パネル２５上に表示された画面を操作することで行うことができ、かかる間隔時間の情報がＣＰＵ２３に入力されたか否かで本ステップＳ１６３を判断することができる。
【００６１】
図６に戻り、スリープコントロール間隔時間設定要求があるとき（ステップＳ１６３で“ＹＥＳ”のとき）、次いでＣＰＵ２３はスリープコントロール間隔時間を設定する（ステップＳ１６４）。すなわち、ＣＰＵ２３はＲＡＭ２４に格納されたタイムコントロールテーブル２００にアクセスし、スリープコントロール間隔時間領域２０２に操作パネル２５から入力された間隔時間を格納する。例えば、間隔時間を３０分としたときのテーブル２００の例を図１２（Ａ）に示す。
【００６２】
次いで、ＣＰＵ２３はスリープコントロール基準時刻を現在時刻に更新する（ステップＳ１６５）。すなわち、操作パネル２５で予約スリープ等の設定処理を行った時の時刻がスリープコントロール基準時刻として更新される。本ステップＳ１６５での現在時刻が午前１１時のときは、図１２（Ｂ）に示すようにスリープコントロール基準時刻領域２０１に“１１：００”が格納される。そして、パネル処理（ステップＳ１５）が終了し、処理は図２のステップＳ１７に移行する。
【００６３】
一方、スリープコントロール間隔時間の設定要求がないとき（ステップＳ１６３で“ＮＯ”のとき）、スリープ状態への移行をユーザは要求していないことになるので、テーブル２００のスリープコントロール基準時刻２０１やスリープコントロール間隔時間２０２は更新せず、同様にパネル処理が終了し、図２のステップＳ１７に移行する。
【００６４】
本パネル処理（ステップＳ１５）でタイムコントロールテーブル２００に格納される予約スリープ状態の開始時刻や予約レディ状態の開始時刻等は図１２（Ｂ）の例に限らず、例えば図１３（Ａ）に示すように予約スリープの開始時刻と終了時刻の間に、予約レディの開始時刻と終了時刻を設定することもできる。また、図１３（Ｂ）に示すように、予約レディの開始時刻と終了時刻の間に予約スリープの開始時刻と終了時刻を設定することもできる。
【００６５】
図２に戻り、パネル処理（ステップＳ１５）が終了すると、次いでＣＰＵ２３はスリープ処理（ステップＳ１７）を行う。スリープ処理の詳細を図７乃至図８に示す。スリープ処理に移行すると、ＣＰＵ２３はまず、印刷要求があるか否か判断する（ステップＳ１７１）。本処理は、現在のプリンタ２０の状態とテーブル２００とを比較してレディ状態に移行させたり、スリープ状態に移行させたりする処理である。したがって、印刷要求がスリープ処理を開始する時点で入力されると、印刷動作を行わせるようにするため本スリープ処理（ステップＳ１７）をスキップして図２の印刷処理（ステップＳ１３）に移行することになる。
【００６６】
なお、図２において、各処理が順に初期設定処理（ステップＳ１１）、印刷処理（ステップＳ１３）、パネル処理（ステップＳ１５）、スリープ処理（ステップＳ１７）と移行するように記載しているが、実際には印刷処理、パネル処理、スリープ処理は別々のタスクとして並列的にＣＰＵ２３によって実行される。図２は、説明の便宜のためにかかるように記載している。
【００６７】
図７に戻り、次いでＣＰＵ２３は、予約レディコントロール設定フラグが有効か否か判断する（ステップＳ１７２）。例えば、ＣＰＵ２３はＲＡＭ２４に格納されたタイムコントロールテーブル２００の予約レディコントロール設定フラグ領域２０６に格納された値を読み出し、“１”が格納されているか否かにより“有効”か否かを判断する。パネル処理（ステップＳ１５）において図１２（Ｂ）に示すように設定したとき、予約レディコントロールフラグ領域２０６には有効を示す“１”が格納されているので本ステップで“ＹＥＳ”と判断される。
【００６８】
予約レディコントロール設定フラグが有効のとき（ステップＳ１７２で“ＹＥＳ”のとき）、次いでＣＰＵ２３は、現在時刻は予約レディコントロール開始時刻から終了時刻までの間か否か判断する（ステップＳ１７３）。すなわち、ＣＰＵ２３はタイムコントロールテーブル２００の予約レディコントロール開始時刻領域２０７と終了時刻領域２０８とからそれぞれ予約レディコントロール開始時刻と終了時刻とを読み出す。そして、タイマ２６から読み出した現在時刻がその開始時刻と終了時刻との間か否か判断する。
【００６９】
ここで、例えば図１２（Ｂ）のようにタイムコントロールテーブル２００を設定したとき、横軸を時刻にしたときの関係図を図１４（Ａ）に示す。タイマ２６から読み出した現在時刻が午前１０時のときは予約レディ開始時刻（午前８時）と終了時刻（午後９時）との間のため、本ステップＳ１７３で“ＹＥＳ”と判断される。
【００７０】
図７に戻り、次いでＣＰＵ２３は、プリンタ２０が現在スリープ中か否か判断する（ステップＳ１７４）。例えば、レディ、スリープの各状態にプリンタ２０が移行したとき、かかる現在の状態を示すフラグをＲＡＭ２４などのメモリに格納し、本ステップ１７４でＣＰＵ２４がかかるフラグをＲＡＭ２４から読み出すことで判断することができる。
【００７１】
現在スリープ中のとき（ステップＳ１７４で“ＹＥＳ”のとき）、次いでＣＰＵ２３はレディ状態に移行させるためウォームアップ動作を開始する（ステップＳ１７５）。すなわち、ＣＰＵ２３は印刷エンジン３０への通電が行われるようにエンジンコントローラ２９に制御信号を出力し、印刷可能なレディ状態に移行することになる。予約レディコントロール設定が有効で（ステップＳ１７２で“ＹＥＳ”）、現在時刻がその設定された時刻内であって（ステップＳ１７３で“ＹＥＳ”）、しかも現在スリープ中（ステップＳ１７４で“ＹＥＳ”）とは、スリープ状態から予約レディ状態へ移行する時である。図１４（Ａ）に示す場合では、予約レディ開始時刻として設定した午前８時丁度の時である。それまでは予約スリープ状態として設定されていたのでプリンタ２０はスリープ状態である。そして、午前８時丁度から予約したレディ状態に移行するため、ステップＳ１７４でスリープ中として“ＹＥＳ”となり、ウォームアップが開始される（ステップＳ１７５）。
【００７２】
次いで、ＣＰＵ２３はスリープコントロール基準時刻を現在時刻に更新する（ステップＳ１７６）。最新の状態移行（スリープ状態からレディ状態へ）を行った時刻を保持するためである。そして、スリープ処理が終了し図２の印刷処理（ステップＳ１３）に移行することになる。
【００７３】
一方、現在プリンタ２０がスリープ中でないとき（ステップＳ１７４で“ＮＯ”のとき）、現在レディ状態であると判断できるため、上述のウォームアップ等の処理（ステップＳ１７５等）は行わずにスリープ処理は終了し、印刷処理（ステップＳ１３）に移行する。スリープ中でなく、しかも印刷要求がない（ステップＳ１７１で“ＮＯ”）ため、残る状態はレディ状態だからである。例えば図１４（Ａ）で現在時刻が午前１０時のときはスリープ中でないためステップＳ１７４で“ＮＯ”と判断されることになる。なお、予約レディ状態への開始時刻と終了時刻とを設定した後でスリープ状態に移行させるには、例えば、操作パネル２５上で予約スリープコントロールの設定を解除するように操作するようにすればよい（図５のステップＳ１５５での“解除”）。逆に予約レディ状態への設定を行った後で、スリープ状態へ移行させるように操作パネル２５を操作するようにしても本プリンタ２０は予約レディの設定を優先してスリープ状態へ移行させないようになっている。
【００７４】
図７に戻り、一方、現在時刻は予約レディコントロール開始時刻から終了時刻までの間でないとき（ステップＳ１７３で“ＮＯ”のとき）、図８のステップＳ１７７に移行する。例えば、テーブル２００の予約レディコントロール開始時刻２０７等に時刻等が記憶されていても（予約レディを設定しても）、現在時刻が図１４（Ａ）で午前７時や午後１１時のときは予約レディの設定時間外であるため、かかる場合は本ステップで“ＮＯ”が選択される。
【００７５】
さらに、予約レディコントロール設定フラグが有効でないとき（ステップＳ１７２で“ＮＯ”のとき）、予約レディへの設定をユーザが行っていないことになるので、上述した処理を行うことなく同様に図８のステップＳ１７７に移行することになる。なお、上述のステップＳ１７２からステップＳ１７６までの処理は、タイムコントロールテーブル２００のうち予約レディに関する項目（領域２０６から領域２０８まで）に関する処理である。
【００７６】
図８のステップＳ１７７においてＣＰＵ２３は、予約スリープコントロール設定フラグが有効か否か判断する。すなわち、ＣＰＵ２３はタイムコントロールテーブル２００のスリープコントロール設定フラグ領域２０３から値を読み出し、“１”（有効）か否か判断する。
【００７７】
設定フラグが有効のとき（ステップＳ１７７で“ＹＥＳ”のとき）、次いでＣＰＵ２３は、現在時刻は予約スリープコントロール開始時刻から終了時刻までの間か否か判断する（ステップＳ１７８）。ステップＳ１７３のときと同様に、ＣＰＵ２３はタイムコントロールテーブル２００の予約スリープコントロール開始時刻領域２０４と予約スリープコントロール終了時刻領域２０５からそれぞれ予約スリープコントロール開始時刻と終了時刻とを読み出し、タイマ２６から読み出した現在時刻とを比較することで判断する。例えば図１４（Ａ）で現在時刻が午後１１時のときは予約スリープ状態のため、本ステップＳ１７８で“ＹＥＳ”が選択される。
【００７８】
現在時刻が予約スリープコントロール開始時刻と終了時刻の間のとき（ステップＳ１７８で“ＹＥＳ”のとき）、次いでＣＰＵ２３は、プリンタ２０が現在スリープ中か否かを判断する（ステップＳ１７９）。例えば、ステップＳ１７４と同様にＲＡＭ２４に格納された現在の状態を示すフラグを確認する等してスリープ状態中か否かを判断する。
【００７９】
スリープ中にないとき（ステップＳ１７９で“ＮＯ”のとき）、ＣＰＵ２３はプリンタ２０をスリープ状態に移行させる（ステップＳ１８０）。すなわち、ＣＰＵ２３はエンジンコントローラ２９に印刷エンジン３０への通電を遮断するよう制御信号を出力することで、スリープ状態への移行が行われる。予約スリープの設定がなされ（ステップＳ１７７で“ＹＥＳ”）、かつ、予約スリープ状態への設定を行った時刻内であって（ステップＳ１７８で“ＹＥＳ”）、しかもスリープ中でなければ（ステップＳ１７９で“ＮＯ”のとき）、優先してスリープ状態に移行させる必要があるからである。例えば図１４（Ｂ）に示すように、予約スリープ状態でレディ状態に移行して午後１０時に印刷を行ったとき、印刷終了直後はレディ状態となっているため、ＣＰＵ２３はレディ状態からスリープ状態にプリンタ２０を移行させる必要がある。したがって、かかる印刷終了直後のとき、予約スリープ設定時刻内のためステップＳ１７８で“ＹＥＳ”が選択され、しかもスリープ中でないためにステップＳ１７９で“ＮＯ”が選択されて、優先的にスリープ状態に移行させることになる。
【００８０】
次いで、ＣＰＵ２３は状態移行した時刻を保持しておくため、スリープコントロール基準時刻領域２０１に現在時刻を格納する（ステップＳ１８１）。そして、スリープ処理が終了し図２の印刷処理（ステップＳ１３）に移行する。
【００８１】
一方、現在スリープ中であるとき（ステップＳ１７９で“ＹＥＳ”のとき）、スリープ状態が維持されたままの状態であるから、上述のスリープ開始（ステップＳ１８０）等の処理を行う必要がなくスリープ処理（ステップＳ１７）が終了して、図２の印刷処理（ステップＳ１３）に移行する。
【００８２】
また、現在時刻は予約スリープコントロール開始時刻から終了時刻までの間にないとき（ステップＳ１７８で“ＮＯ”のとき）、優先的にスリープ状態に移行させる必要がないため、スリープ開始等の処理（ステップＳ１８０等）を行うことなく、ステップＳ１８２に移行する。
【００８３】
さらに、予約スリープコントロールフラグが有効でないとき（ステップＳ１７７で“ＮＯ”のとき）、ユーザによって予約スリープの設定が行われていないため、このときも同様にステップＳ１８２に移行する。なお、上述のステップＳ１７７からステップＳ１８１までは、タイムコントロールテーブル２００のうち予約スリープに関する項目（領域２０３から２０５まで）を実行するための処理である。
【００８４】
ステップＳ１８２からステップＳ１８４までの処理は、タイムコントロールテーブル２００のうちスリープコントロール基準時刻２０１とスリープコントロール間隔時間２０２に関する処理である。すなわち、ステップＳ１８２においてＣＰＵ２３は、現在プリンタ２０がスリープ中か否かを判断する。スリープコントロール間隔時間によりスリープ状態に移行させるには、現在の状態がスリープ中であれば状態移行をさせる必要がないので、これを確認するためである。よって、スリープ中であれば（ステップＳ１８２で“ＹＥＳ”のとき）、本スリープ処理（ステップＳ１７）が終了し図２の印刷処理（ステップＳ１３）に移行する。
【００８５】
一方、スリープ中にないとき（ステップＳ１８２で“ＮＯ”のとき）、次いでＣＰＵ２３はテーブル２００のスリープコントロール基準時刻領域２０１とスリープコントロール間隔時間領域２０２とに格納されたそれぞれの時刻等を読み出し、基準時刻に間隔時間を加算した時間がタイマ２６から読み出した現在時刻と同じか又は超えているか否か判断する（ステップＳ１８３）。同じ又は超えているとき（ステップＳ１８３で“ＹＥＳ”のとき）、スリープ間隔時間を現在時刻は過ぎたことになるから、ＣＰＵ２３はプリンタ２０をスリープ状態に移行させるようにする。上述したようにＣＰＵ２３はエンジンコントローラ２９に対してスリープ状態に移行するための制御信号を出力することでかかる状態になる。そして、本スリープ処理（ステップＳ１７）は終了して、図２の印刷処理（ステップＳ１３）に移行する。そして、上述した処理を繰り返すことになる。
【００８６】
本プリンタ２０は２４時間稼動しているようなプリンタであるため、図２に示すフローチャートを繰り返すことになるが、例えば、強制的にプリンタ２０の電源を落とすと各処理が中断、終了することになる。このときＣＰＵ２３は、ＲＡＭ２４に記憶されたタイムコントロールテーブル２００をＥＥＰＲＯＭ２７に格納して以前の状態を記憶する。
【００８７】
以上説明したように、本発明によればプリンタ２０などの画像形成装置において優先的にスリープ状態やレディ状態に移行する時間をユーザが設定することができる。
【００８８】
上述の例では、パネル処理（ステップＳ１５、図５乃至図６参照）ではプリンタ２０の操作パネル２５により予約レディや予約スリープの開始時刻、終了時刻を設定できるようにしたが、例えばホストコンピュータ１０のアプリケーション１２やドライバ１４によってかかる時刻を設定するようにしてもよい。
【００８９】
また、上述の例では色変換やハーフトーン処理をプリンタ２０のＣＰＵ２３が行うとして説明したが、例えばホストコンピュータ１０のドライバ１４でかかる処理を行わせるようにしてもよい。このとき、処理後の階調データが印刷ジョブデータに付加されてプリンタ２０に入力され、ＣＰＵ２３ではパルス幅変調等の処理を行うことになる。
【００９０】
さらに、上述の例ではプリンタ２０としてレーザプリンタを例にして説明したが、それ以外にも各色のインクがヘッドから記録媒体に吐出して印刷を行うインクジェットプリンタや、バブルジェットプリンタ、熱転写プリンタ等各種のプリンタで本発明を適用しても同様の効果を得ることができる。
【００９１】
さらに、上述の例では画像形成装置としてプリンタ２０の例で説明したが、それ以外にもファクシミリや複写機、さらにプリンタ含めてこれらの機能を有する複合機であっても同様の効果を奏する。さらに、ホストコンピュータ１０の例として、例えばパーソナルコンピュータ、さらには携帯電話やデジタルカメラ、さらにＰＤＡ（Personal Digital Assistance）などの情報携帯端末であってもよい。
【図面の簡単な説明】
【００９２】
【図１】本発明が適用されるプリンタ２０の構成を含む全体システム図である。
【図２】全体処理の動作を示すフローチャートである。
【図３】初期設定処理の動作を示すフローチャートである。
【図４】印刷処理の動作を示すフローチャートである。
【図５】パネル処理の動作を示すフローチャートである。
【図６】パネル処理の動作を示すフローチャートである。
【図７】スリープ処理の動作を示すフローチャートである。
【図８】スリープ処理の動作を示すフローチャートである。
【図９】タイムコントロールテーブルの一例を示す図である。
【図１０】タイムコントロールテーブルの一例を示す図である。
【図１１】タイムコントロールテーブルの一例を示す図である。
【図１２】タイムコントロールテーブルの一例を示す図である。
【図１３】タイムコントロールテーブルの一例を示す図である。
【図１４】設定した各時刻の関係を示す図である。
【符号の説明】
【００９３】
１０  ホストコンピュータ    １２  アプリケーション    １４  ドライバ    ２０  プリンタ    ２２  ＲＯＭ    ２３  ＣＰＵ    ２４  ＲＡＭ    ２５  操作パネル    ２６  タイマ    ２７  ＥＥＰＲＯＭ    ２８  本体メモリ    ２９  エンジンコントローラ    ３０  印刷エンジン    ２００  タイムコントロールテーブル    ２０１  スリープコントロール基準時刻領域    ２０２  スリープコントロール間隔時間領域    ２０３  予約スリープコントロールフラグ領域    ２０４  予約スリープコントロール開始時刻領域    ２０５  予約スリープコントロール終了時刻領域    ２０６  予約レディコントロールフラグ領域    ２０７  予約レディコントロール開始時刻領域    ２０８  予約レディコントロール終了時刻領域
【図１】
2005288971.tif 000003
【図２】
2005288971.tif 000004
【図３】
2005288971.tif 000005
【図４】
2005288971.tif 000006
【図５】
2005288971.tif 000007
【図６】
2005288971.tif 000008
【図７】
2005288971.tif 000009
【図８】
2005288971.tif 000010
【図９】
2005288971.tif 000011
【図１０】
2005288971.tif 000012
【図１１】
2005288971.tif 000013
【図１２】
2005288971.tif 000014
【図１３】
2005288971.tif 000015
【図１４】
2005288971.tif 000016